(57)【要約】  本発明は、特に浮動フェルールを備える、光接続、光電接続または光電子接続用の光回転コネクタ（１００）に関する。前記光回転コネクタは、前記光回転コネクタを前記相手コネクタ上の開位置（Ｏ）から閉位置（Ｇ）まで回転可能であるように、光相手コネクタ（２００）上に設けられることが可能であり、前記光回転コネクタの光手段（１２０）は、前記光相手コネクタの光手段（２２０）に光学的に連結可能である。さらに本発明は、特にトランスミッタモジュール、レシーバモジュールまたはトランスミッタ／レシーバモジュールにおける光接続、光電接続または光電子接続用の光相手コネクタ（２００）であって、前記光相手コネクタは、前記光回転コネクタを前記相手コネクタ上の開位置（Ｏ）から閉位置（Ｇ）まで回転可能にするように、光相手コネクタ（２００）が設けられる軸受手段（２３０）を設け、前記光相手コネクタの光手段（２２０）は、前記光回転コネクタの光手段（１２０）に光学的に連結可能である。さらに本発明は、光接続手段（１０）、特にピグテール（６）などの組立済み光ウェイブガイドケーブル（６）、自動車分野における電気デバイスまたは電子デバイス（１）またはそれらの組立体に関する。【選択図】図４
2013543145.tif 000002
【特許請求の範囲】
【請求項１】
特に浮動フェルールを備える、光接続、光電接続または光電子接続用の光回転コネクタ（１００）であって、
前記光回転コネクタは、前記光回転コネクタを光相手コネクタ（２００）上の開位置（Ｏ）から閉位置（Ｇ）まで回転可能であるように、前記光相手コネクタ上に設けられることが可能であり、
前記光回転コネクタの光手段（１２０）は、前記光相手コネクタの光手段（２２０）に光学的に連結可能であることを特徴とする光回転コネクタ。
【請求項２】
前記光回転コネクタは、軸受手段（１３０）を備え、
前記軸受け手段によって、前記光回転コネクタを回転軸（Ｓ）の周りを回転可能な前記相手コネクタ上に設けることが可能であり、
および／または、前記軸受手段は、好適には特に前記光回転コネクタのハウジング（１１０）と材料の点で一部材で形成されるタブ（１３２）上に備えられ、好適には外方に突出する軸受ジャーナル（１３４）を備える請求項１記載の光回転コネクタ。
【請求項３】
前記光回転コネクタの前記軸受ジャーナルは、ほぼ円形または卵形、好適には楕円形の断面であり、
前記光相手コネクタ上に実装された前記光回転コネクタは、前記軸受ジャーナルの断面の主軸方向に前記光相手コネクタへ向かって移動可能であり、
前記軸受ジャーナルは、前記光相手コネクタの軸受シェル（２３４）の軸受スロット（２３６）を通じて前記軸受シェル内に進行可能である請求項１または２記載の光回転コネクタ。
【請求項４】
前記軸受ジャーナルの断面における大きな複数の頂点間の距離は、前記光相手コネクタの軸受手段（２３０）の直径に対応し、
前記軸受ジャーナルの断面における小さな複数の頂点間の距離は、前記光相手コネクタの前記軸受手段の軸受スロット（２３６）の直径よりも僅かに小さく、
前記光回転コネクタは、特に前記光回転コネクタのハウジング（１１０）と材料の点において一部材で形成された２つの前記軸受手段が横方向に備えられ、
前記光回転コネクタの前記軸受手段の２つの軸受ジャーナルは、特には材料の点で一部材で形成され、前記光回転のコネクタハウジングから外方に突出し、
前記光回転コネクタによって規定される回転軸（Ｓ）は、前記光回転コネクタの前記光手段の光軸（Ａ１２０）から所定の距離があり、
前記光回転コネクタの前記光手段（１２０）の一次ラッチ手段（１１４）は、スプリングシャックル（１１４）として形成され、その長手端部（１１５）は、光軸（Ａ１２０）の方向に前記光手段をロックし、
前記光回転コネクタハウジングの内部突起（１１６）と協働する前記一次ラッチ手段は、光軸（Ａ１２０）の両方向において前記光回転コネクタの前記光手段（１２０）を保持し、および／または、
前記光回転コネクタの前記光手段（１２０）（好適には２つの光手段が備えられる）は、光端スリーブ（１２０）またはフェルール（１２０）である請求項１から３のいずれか１項記載の光回転コネクタ。
【請求項５】
特にトランスミッタモジュール、レシーバモジュールまたはトランスミッタ／レシーバモジュールを備える光電接続または光電子接続用の光相手コネクタ（２００）であって、
前記光相手コネクタは、光回転コネクタを前記相手コネクタ上の開位置（Ｏ）から閉位置（Ｇ）まで回転可能であるように、光相手コネクタ（２００）上／内に軸受手段（２３０）を設け、
前記光相手コネクタの光手段（２２０）は、前記光回転コネクタの光手段（１２０）に光学的に連結可能であることを特徴とする光相手コネクタ。
【請求項６】
前記光相手コネクタの前記軸受手段（２３０）は、前記光回転コネクタの軸受手段（１３０）が受容可能となるように構成され、
前記光回転コネクタは、前記光相手コネクタ上において回転軸（Ｓ）の周りを回転可能に設けることが可能であり、
および／または、前記光相手コネクタの前記軸受手段（２３０）は、好適には特に前記光回転コネクタのハウジング（１１０）と材料の点で一部材で装着されるタブ（２３２）上に備えられる軸受シェル（２３４）を備え、
前記光回転コネクタの前記軸受手段（１３０）の軸受ジャーナル（１３４）が前記軸受シェル上／内に受容可能である請求項５記載の光相手コネクタ。
【請求項７】
前記光相手コネクタの前記軸受シェルは、前記光回転コネクタの前記軸受ジャーナルが進行可能である軸受スロット（２３６）を備え、
前記軸受シェルは、前記光回転コネクタの前記軸受ジャーナルの実装用の円形環状の間隙を形成し、
前記軸受スロットは、好適には２つの軸受面（２３５，２３７）が形成され、前記軸受シェルの２つの側面上に備えられる請求項５または６記載の光相手コネクタ。
【請求項８】
前記光相手コネクタの前記軸受シェルの直径は、前記光相手コネクタの前記軸受ジャーナルの断面における大きな複数の頂点間の距離に対応し、
前記軸受スロットの直径は、少なくとも前記光回転コネクタの前記軸受ジャーナルの断面における小さな複数の頂点間の距離に対応し、
前記光相手コネクタは、特に光相手コネクタハウジング（２１０）と材料の点において一部材で形成された２つの軸受手段（２３０）が備えられ、
前記光相手コネクタによって規定される前記光回転コネクタ用の回転軸（Ｓ）は、前記光相手コネクタの前記光手段（２２０）の光軸（Ａ２２０）から所定の距離があり、
前記光回転コネクタの前記光手段（１２０）用の二次ラッチ手段（２１４）は、好適には前記光相手コネクタハウジングの内部壁（２１４）として形成され、
前記光相手コネクタのハウジングは、閉位置（Ｇ）において、前記二次ラッチ手段の端面（２１５）が、前記光相手コネクタの前記光手段（２２０）の光軸（Ａ２２０）の方向に前記光回転コネクタの前記光手段（１２０）を保持するように形成され、
前記相手コネクタの前記光手段は、特に、ＬＥＤ、レーザーダイオードなどの光電変換器（電気から光に変換）（２２０）、および／または、特にフォトダイオードやフォトトランジスタなどの光電変換器（光から電気に変換）（２２０）であり、
および／または、前記光相手コネクタは、表面実装コンポーネントであり、その電気接続部（２２６，２４６）が基板（２０）上に実装可能であり、
好適には前記光相手コネクタの前記光手段（２２０）とＥＭＣ保護手段の両方は、特に電気接続ピン（２２６，２４６）などの表面実装可能な電気接続部（２２６，２４６）を備えると好適である請求項５から７のいずれか１項記載の光相手コネクタ。
【請求項９】
自動車分野用のＭＯＳＴデバイスなどの光デバイス、光電デバイスまたは光電子デバイス用の光接続手段（１０）であって、
光回転コネクタ（１００）を備え、
前記光回転コネクタは、前記光回転コネクタによって、前記光接続手段の第一光手段（１２０）が前記光接続手段の第二光手段（２２０）へ向かって移動可能であるように、光相手コネクタ（２００）上に設けることが可能および／または設けられ、
両方の光手段（１２０，２２０）は光学的に互いに連結可能である光接続手段。
【請求項１０】
前記光回転コネクタの軸受手段（１３０）は、前記光相手コネクタの軸受手段（２３０）に設けられ、および／または、前記光相手コネクタの軸受手段（２３０）上に／内に設けられることが光接続の構築前に時間的に可能であり、
前記光相手コネクタの前記光手段の軸方向（Ａ１２０）は、前記光相手コネクタの前記光手段（２１０）の軸方向（Ａ２２０）に対して９０°とほぼ等しいか好適には鋭角であるとされ、
前記光相手コネクタは、前記光相手コネクタ上の開位置（Ｏ）から前記光相手コネクタ上の閉位置（Ｇ）まで回転可能であり、かつ、前記閉位置（Ｇ）において、特にラッチなどで固定される請求項９記載の光接続手段。
【請求項１１】
前記光相手コネクタの前記軸受手段（２３０）の軸受シェル（２３４）または前記軸受面がほぼ円形環状の間隙に拡がり、
前記間隙において、前記光回転コネクタの軸受ジャーナル（１３４）は、設けられ、および／または、回転可能に設けられ、
前記軸受ジャーナルは、ほぼ円形、卵形または好適には楕円形の断面を有し、
この断面の大きな頂点間の距離が、前記軸受シェルまたは前記軸受面によって拡がった前記間隙の直径にほぼ対応する請求項９または１０記載の光接続手段。
【請求項１２】
前記光相手コネクタの前記軸受シェルは、前記光回転コネクタの前記軸受ジャーナルが前記軸受手段（２３０）内まで進行可能となるように、軸受スロット（２３６）を備え、
前記光相手コネクタの前記軸受スロットの寸法は、前記光回転コネクタの前記軸受ジャーナルの断面の小さい頂点間の距離の少なくとも１つに対応する請求項９から１１のいずれか１項記載の光接続手段。
【請求項１３】
一部材の光接続手段において、前記光回転コネクタは、前記光相手コネクタ上に回転可能に備えられ、
二部剤の光接続手段において、前記光回転コネクタは、前記光相手コネクタ上に回転可能に備えられ、
前記２つの軸受手段（１３０，２３０）が、互い上／内において力無しで設けられるように構成され、
前記２つの軸受手段（１３０，２３０）が、前記光相手コネクタの上の前記光回転コネクタを回転する場合に、ほぼ遊び無しで協働することが可能に構成され、
前記閉位置（Ｇ）において、前記光回転コネクタの一次ラッチ手段は、前記光相手コネクタの前記光手段（２２０）に対して前記光手段（１２０）を押圧し、
前記閉位置（Ｇ）において、前記光相手コネクタの前記光手段（２２０）は、前記光回転コネクタの前記光手段（１２０）上にばね力を与え、および／または、
前記光回転コネクタは、請求項１から４のいずれか１項記載によって形成された光回転コネクタであり、および／または、
前記光相手コネクタは、請求項５から８のいずれか１項記載によって形成された光相手コネクタである請求項９から１２のいずれか１項記載の光接続手段。
【請求項１４】
自動車分野におけるＭＯＳＴデバイス用の組立済みの特にピグテールなどの光ウェブガイドケーブル（６）であって、
前記組立済みの光ウェイブガイドケーブルは、請求項１から４のいずれか１項記載によって形成された光回転コネクタ（１）を備える光ウェイブガイドケーブル。
【請求項１５】
自動車分野における電気デバイスまたは電子デバイスまたはそれらの組立体であって、
前記電気デバイスまたは前記電子デバイス（１）またはそれらの組立体（２）は、請求項９から１３のいずれか１項記載によって形成された光接続手段（１０）を備え、および／または、請求項１４記載の組立済み光ウェブガイドケーブル（６）を含む電気デバイスまたは電子デバイスまたはそれらの組立体。
【発明の詳細な説明】
【技術分野】
【０００１】
本発明は、特に浮動フェルールを備える、光接続、光電接続または光電子接続用の光回転コネクタ、および、さらに、特にトランスミッタモジュール、レシーバモジュールまたはトランスミッタ／レシーバモジュールにおける光回転コネクタの光相手コネクタに関する。さらに本発明は、自動車分野用（例えばＭＯＳＴデバイスなど）の光接続、光電接続または光電子接続用の光接続手段、特にピグテールなどの組立済み光ウェイブガイドケーブル、電気デバイスまたは電子デバイスまたはそれらの組立体に関する。
【０００２】
データ伝送は、電気業界の市場または電子業界の市場の発展において重要な役割を果たしている。今日、これらデータ伝送の要求は、コンピュータ業界、自動車業界または航空業界などのほぼいかなる産業分野においても極めて重大なこととなっている。そのような分野で、高いデータ伝送割合を確実にする電気コネクタ、光コネクタ、電気−光コネクタの幅広い製品幅が要求される。製品幅が要求されるのは、例えば、最新の自動車において、エンターティメント／情報アプリケーション、および好適にはＭＯＳＴ（Media Oriented Systems Transport)バス（自動車のマルチメディアネットワークの光学バス）と呼ばれるものを通じて好適には変換される交通情報である。これらまたはさらに別の光データ伝送技術のために、ピグテール、光コンタクトおよび／または電気コンタクトを備えた（ハイブリッド）プラグコネクタ、さらにガラスまたはプラスチック材料の光ウェイブガイドケーブルなどの光または光電子コンポーネントを光学的に共に連結するコネクタシステムが要求される。
【０００３】
従来技術における光接続、光電接続または光電子接続が、図１および図２に示されるように、光プラグイン接続１２として構成される。そのような場合において、光プラグイン接続１２は、ＴＨＭ（Through Hole Mounted)技術を用いてプリント回路基板（ＰＣＢ）や組立済み基板（装着済みプリント回路基板）上に電気接続可能な配線基板モジュール１３を含む。さらに、光プラグイン接続１２は、基板モジュール１３に対応する少なくとも１本のプラグ１４（図１の実施形態）またはプラグモジュール１４（図２の実施形態）を含む。
【０００４】
図１に示されたピグテールは、ほぼ図示された実施形態（すなわち構築されたプラグイン接続１２を備えたもの）においてのみ提供可能である。この場合において、光ウェイブガイドを備えた少なくとも一本のプラグ１４は、バヨネット型ロック手段によって基板モジュール１３上に通常実装される。図２の構成の場合において、ピグテールは、外側で製造可能である。最初に、例えば顧客の施設などで、フェルールを一緒に備えた光ウェイブガイドケーブルが、プラグモジュール１４上に／内に実装される。さらに、そのフェルールは、別体の二次ラッチ手段１５によって、プラグモジュール１４内にラッチ固定可能である。この時間経過順に従って、プラグモジュール１４は、基板モジュール１３に光学的に接続される。こうして、製造されるこのピグテールは、それからプリント回路基板上に実装可能である。
【発明の概要】
【発明が解決しようとする課題】
【０００５】
そのような既に構築済みの光プラグイン接続１２の場合において、プリント回路基板上に実装およびはんだ付けすることには問題がある。このことは、ピグテールの残部（プラグイン接続１２の反対側に配置されたコネクタ手段用の光プラグコネクタを任意で備える）がプラグイン接続１２と関係があるという事実に由来する。ピグテールが空間的に拡がることによって、プラグイン接続１２の実装の際に、組立済み基板またはプリント回路基板上に損傷が生じる可能性があるので、このピグテールは、そのかさ高性のため取り扱うことが比較的困難である。さらに、プラスチック材料すなわちポリマーの主材料（ＰＯＦ：Polymer/Plastic Optical Fibre)の光ウェイブガイドを備えていることで、その後のはんだ付け工程において、ＰＯＦは比較的低い融点を有するので問題が生じてしまう。ゆえに、ガラスの主材料（ＧＯＦ：Glass Optical Fibre）の光ウェイブガイドを用いることが必要となるが、このことは、特定のピグテールを非常に高額なものとしてしまう。
【０００６】
さらに、基板モジュール上のプラグまたはプラグモジュールのピグテールの実装または横のプラグイン実装は、プリント回路基板または組立済み基板上の他にはあまり用いられる可能性がない比較的大きな容積のスペースが必要となってしまう。そのような横のプラグイン実装は、プラグまたはプラグモジュールが、プリント回路基板上においてプリント回路基板または組立済み基板に沿ってほぼ平行で、実装端へ向かって、かなりの経路を案内されなければならないので、高額であり、好適には自動化でのみ実施される。手作業による実装では、密集した装着プリント回路基板では難しい場合も多い。さらに、自動配置装置をセットアップする価値は殆どないので、手作業による実装ができるないことは、少ない量でも比較的高額になってしまう。さらに、手作業による実装では、不良品を出すリスクも増加してしまう。
【０００７】
本発明の目的は、光デバイス、光電デバイスまたは光電子デバイス用の改良された光接続またはそのための組立体、および／または、ピグテールなどの改良された組立済み光ウェイブガイドケーブルを発明することである。本願において、本発明の目的は、改良されたあるいは別の光接続手段用の改良された光コネクタ、および／または、改良された光相手コネクタを発明することである。さらには、組立済み光ウェイブガイドケーブル、および／または、電気デバイスまたは電子デバイスまたはそのための組立体を発明することである。
【課題を解決するための手段】
【０００８】
本発明によれば、光接続手段の実装（特にプリント回路基板／組立済み基板上への光相手コネクタの実装および／または光相手コネクタ上への光コネクタの実装）が改良される。それぞれの実装は、手作業によって簡易におよび自動化により簡易に実施することが可能である。そのような場合において、特にピグテールを取り扱いやすく、または、ピグテールは、光接続手段全体と一緒にプリント回路基板上に実装される必要がない。さらに、プラスチック材料またはポリマー主材料の光ウェイブガイドをプリント回路基板上の光相手コネクタのはんだ付け工程に用いることも可能である。さらに、ピグテールの実装用のプリント回路基板上のスペースが少なくて済む。
【０００９】
本発明の目的は、
特に浮動フェルールを備える、光接続、光電接続または光電子接続用の請求項１に記載の光回転コネクタによって、
特にトランスミッタモジュール、レシーバモジュールまたはトランスミッタ／レシーバモジュールを備える同様の光電接続または光電子接続用の請求項５記載の光相手コネクタによって、
自動車分野用のＭＯＳＴデバイスなどのデバイス用の請求項９記載の光接続手段によって、
自動車分野におけるＭＯＳＴデバイス用の請求項１４記載の組立済みの光ウェブガイドケーブル（特にピグテール）によって、
および、自動車分野における請求項１５記載の電気デバイスまたは電子デバイスまたはそれらの組立体によって達成される。
本発明の好適な態様は、従属項から明らかにされる。
【００１０】
本発明の光接続手段は、光回転コネクタと光相手コネクタを備える。前記光回転コネクタは、前記光回転コネクタによって前記光接続手段の第一光手段が、前記光接続手段の第二光手段へ向かって移動（特に回転）可能であるように、前記光相手コネクタの前記光手段上に備えられたおよび／または備えられることが可能である。前記光回転コネクタと前記光相手コネクタが共に移動するときのこの２つのコネクタの状態において、それぞれの場合における任意の２つの光手段が互いに光学的に接続され、それゆえに光信号を伝送可能である。そのような場合において、前記光回転コネクタと前記光相手コネクタの両方が、本発明の光回転コネクタのように、あるいは、本発明の光相手コネクタのように形成されてもよい（この点については以下参照）。非常に一般的なことだが、前記光回転コネクタと前記光相手コネクタが、互いに対応するコネクタとして構成される。
【００１１】
そのような場合であって、一部材の光接続手段の場合において、前記光回転コネクタが前記光相手コネクタ上に既に設けられてもよい。すなわち、前記光回転コネクタは、前記光相手コネクタと一体化されてもよい。二部材の光接続手段の場合において、前記光回転コネクタが前記光相手コネクタ上に設けることを可能にしてもよい。すなわち、前記光回転コネクタが、光接続の構築のために、前記光相手コネクタ上に設けられてもよい。２つの光手段によって光接続を構築する前の時間的な手順としては、前記光回転コネクタの軸受手段が、前記光相手コネクタの軸受手段に備えられるまたは前記光相手コネクタの軸受手段上に／内に設けられることが可能である。そのような場合において、２つの軸受手段は、前記光相手コネクタ上に前記光相手コネクタが回転する場合において、２つの軸受手段が互い上へ／内へ力無しで設けられ、および／または、ほぼ遊び無しの態様で協働するように構成されてもよい。
【００１２】
前記光回転コネクタは、前記相手コネクタ上の開位置から前記相手コネクタ上の閉位置まで回転可能である。前記閉位置にある前記光回転コネクタは、前記光相手コネクタに（特にその上にラッチで）締結される。前記開位置において、前記光回転コネクタの前記光手段の光軸は、好適には前記光相手コネクタの前記光手段の光軸に対して直角またはそれよりも小さい角度となる。他の角度が勿論用いられてもよい。それゆえ、２つの前記軸受手段は、前記光相手コネクタ上の前記光回転コネクタの実装が所定角度または９０°よりも大きいか小さいかの所定角度範囲（すなわちほぼ光軸はいかなる角度位置であってもよい）で行われるように構成されてもよい。さらに、本発明の実施形態において、２つの前記光軸が互いに対して９０°を超える角度となることが可能であり、前記光回転コネクタは、例えば前記光相手コネクタ上の閉じられる方向とは反対に回転することも可能である。
【００１３】
本発明の実施形態において、軸受シェルがほぼ円環状スペースへ拡がる、または、互いに関連する前記光相手コネクタの個別の軸受手段の軸受面がほぼ円環状スペースへ拡がる。前記光回転コネクタの軸受ジャーナルは、前記軸受シェル内にまたは前記軸受シェル同士の間に回転するように設けることが可能であり、または、既にある場所で回転するように設けられる。この場合において、前記軸受ジャーナルは、ほぼ円形または卵形、好適には楕円形の断面である。断面が卵形である場合には、この断面が少なくとも１つの対称軸を備えることが好適である。前記軸受ジャーナルの断面が円形または卵形である場合には、大きな複数の頂点間の距離は、好適にはほぼ前記軸受シェルまたは前記軸受面によって拡がったスペースの直径になる。
【００１４】
好適には、前記光相手コネクタの前記軸受シェルまたは関連する前記軸受面は、前記光回転コネクタの前記軸受ジャーナルが前記軸受手段内に進行可能な軸受スロットを備える。そのような場合において、前記光相手コネクタ上の後方の回転軸にほぼ平行に、前記軸受ジャーナルが前記軸受手段内に進行する。前記軸受ジャーナルが円形の断面を備える場合には、前記軸受スロットの幅は、好適には前記軸受ジャーナルの断面直径よりも小さいと好適である。前記軸受ジャーナルが前記軸受シェル内に進行する際に、前記軸受シェルの側面の幅が拡げられ、その後前記軸受ジャーナルが前記軸受シェル内または前記軸受面間にほぼ積極的に受容される。すなわち、前記軸受ジャーナルが前記軸受シェル内に嵌ることになる。
【００１５】
前記光回転コネクタの前記軸受ジャーナルが卵形または楕円形の断面である場合には、前記軸受スロットの幅または直径は、この卵形または楕円形の断面間の小さな複数の頂点間の少なくとも距離に対応する。このことは、前記軸受スロットへ向けて導く大きな頂点を備えて進むのであれば、前記軸受ジャーナルが前記軸受シェル内に力がなくとも進行可能であることを意味する。この場合において、前記軸受ジャーナルの断面における大きな複数の頂点間の距離は、前記軸受シェルの直径となるのであれば、前記軸受シェル内に力無しで進んだ後、前記軸受ジャーナルは、閉位置に遊び無しの態様で受容される。このことは、軸受ジャーナルおよび前記軸受シェルまたはその軸受面の幾何学形状から、および、開位置から閉位置へ向けた９０°までの前記軸受シェル内での前記軸受ジャーナルの回転からも生じる。
【００１６】
本発明の好適な実施形態において、前記光接続手段の閉位置では、前記光回転コネクタの一次ラッチ手段のみが前記光相手コネクタの前記光手段に対して前記光手段を押圧する。そのような場合において、２つの光手段の全体に亘る端面の間隙なしで前記２つの光手段が互いに対して機械的に当接するように（すなわち光学的に互いに連結されるように）されるので、前記光相手コネクタの前記光手段は、前記光回転コネクタの前記光手段に弾性力を与える。好適には、前記光相手コネクタの前記光手段の弾性力が、前記プリント回路基板に対しての締結から生じることである。
【００１７】
本発明の個別の光回転コネクタは、前記光回転コネクタが前記光相手コネクタにおいて開位置から閉位置まで回転可能であるように、光相手コネクタ上に実装可能である。この閉位置は、さらに本発明の前記光接続手段の閉位置に対応する（上述参照）。そのような場合において、前記光回転コネクタの光手段は、前記光相手コネクタの光手段に機械的に連結される。このために、前記光回転コネクタは、軸受手段を備える。この軸受手段によって、前記光回転コネクタは、前記光相手コネクタ上において回転軸の周りを回転可能に実装可能となる。この場合において、前記軸受手段は、特に前記光回転コネクタのハウジングと材料の点で一部材にて形成され、好適には外方へ突出するタブを含むと好適である。好適には、このタブは、適切な軸受手段として軸受ジャーナルを含む。
【００１８】
本発明の実施形態において、前記光回転コネクタは、２つの軸受手段（特に前記光回転コネクタのハウジングと材料の点において一部材で形成されたもの）が横方向に備えられる。この場合において、前記軸受手段の２つの軸受ジャーナルは、前記光回転のコネクタハウジングまたは関連するタブから外方に突出し、特には材料の点において前記光回転のコネクタハウジングまたはこのタブと一部材で形成される。さらに、前記光回転コネクタによって規定された回転軸は、前記光回転コネクタの前記光手段の光軸からの垂直距離を有する。すなわち、前記光手段またはその前記光軸は、前記光手段が前記光軸を通過する軸の周囲を回転可能でなくとも、そこで円形経路上に案内可能である。そのような場合において、前記光軸は、この円形経路に対して接している。
【００１９】
さらに、前記光手段の一次ラッチ手段は、スプリングシャックルとして形成されると好適であり、その長手端部は、光軸の方向に前記光手段をロックする。前記光回転コネクタハウジングの内向き突起と前記一次ラッチ手段の協働において、前記光手段は光軸の両方向に保持される。前記光手段は、光端スリーブまたはフェルールであると好適である。そのような場合において、前記光回転コネクタは、２つの光手段が備えられるように構成されると好適である。さらに、前記光回転コネクタは、本発明の光接続手段に関連して上述のように構成されてもよい。
【００２０】
本発明の個別の光相手コネクタは、軸受手段を備え、光回転コネクタが前記軸受手段上に／内に実装できる。そのような場合において、前記光回転コネクタは、前記光相手コネクタ上において開位置から閉位置へ回転可能である。この閉位置は、さらに本発明の前記光接続手段の閉位置に対応する（上述参照）。そのような場合において、前記光相手コネクタの光手段は、前記光回転コネクタの光手段に機械的に連結される。前記光相手コネクタの前記軸受手段は、前記光回転コネクタの軸受手段が前記光相手コネクタの前記軸受手段上／内に受容可能であるように構成されると好適である。この場合において、前記光回転コネクタは、前記光相手コネクタ上において回転軸の周りを回転可能となるように実装可能である。
【００２１】
本発明の実施形態において、前記光相手コネクタの前記軸受手段は、互いと関連する軸受シェルすなわち軸受面である。軸受シェルすなわち軸受面は、好適には特に前記光回転コネクタのハウジングと材料の点で一部材で装着されるタブ上に設けられる。前記光回転コネクタの前記軸受手段の軸受ジャーナルは、前記軸受シェル内／上または関連する前記軸受面の間に受容可能であると好適である。前記光相手コネクタは、その上に特に前記光相手コネクタのハウジングと材料の点で一部材で形成される２つの軸受け手段を備えていると好適である。
【００２２】
前記光相手コネクタによって規定される前記光回転コネクタの回転軸は、前記光相手コネクタの前記光手段の光軸から所定の距離がある（この点については、本発明の前記個別の光回転コネクタに関連する説明を参照のこと）。さらに、前記光回転コネクタの前記光手段用の二次ラッチ手段は、好適には前記光相手コネクタハウジングの内部壁として形成される。このため、前記光相手コネクタのハウジングは、閉位置において、前記二次ラッチ手段の端面が、前記光相手コネクタの前記光手段の光軸の方向に前記光回転コネクタの前記光手段を保持するように形成されると好適である。
【００２３】
前記相手コネクタの前記光手段は、特に、ＬＥＤ、レーザーダイオードなどの光電変換器（ＥＯＣ：電気から光に変換）、および／または、特にフォトダイオードやフォトトランジスタなどの光電変換器（ＯＥＣ：光から電気に変換）である。さらに、前記光相手コネクタは、表面実装コンポーネントであり、その電気接続部がプリント回路基板などの基板上に実装可能であると好適である。そのような場合において、好適には前記光相手コネクタの前記光手段とＥＭＣ保護手段の両方は、特に電気接続ピンなどの表面実装可能な電気接続部を備えると好適である。さらに、前記光相手コネクタは、本発明の前記光接続手段に関して上述のように延伸可能である。
【００２４】
本発明によれば、前記光接続手段の実装（特にプリント回路基板上に前記光相手コネクタを実装および／または前記光相手コネクタ上に前記光回転コネクタを実装）が改良される。そのような場合において、実装は、手作業による簡易な方法および簡易な自動化によっても実施可能である。本発明の光回転コネクタおよび光相手コネクタ内への光プラグイン接続の分離のため、特にピグテールの取り扱いが良好になる。あるいは、本発明においては、ピグテールは、光接続手段全体と一緒にプリント回路基板上に実装される必要がない。このことは、プラスチック材料またはポリマー主材料の光ウェイブガイドを問題なく用いることも可能であることを意味する。さらに、ピグテール全体の実装用のプリント回路基板上の搭載スペースが少なくて済む。
【００２５】
さらに別の利点としては、組立者が、手作業での組立の場合において、個別にフェルールを挿入する必要がもはやないことである。このことは、置き間違えの危険性を避けることとなる。
【図面の簡単な説明】
【００２６】
【図１】図１は、基板モジュールおよび２つのプラグ、さらには光プラグコネクタを備え、従来技術の光プラグイン接続を備えたピグテールの斜視図である。
【図２】図２は、プラグモジュールが装着されていない状態での従来技術の光プラグイン接続の基板モジュールの斜視図である。
【図３】図３は、本発明の光接続手段によって本発明の光接続を構築した際の本発明の光電デバイスの斜視線図である。
【図４】図４は、本発明の光相手コネクタ上に本発明の光回転コネクタを設けた状態を示す後横から見た斜視図である。
【図５】図５は、光回転コネクタと光相手コネクタから本発明の光接続手段の本発明の構築を示す図４と類似した図である。
【図６】図６は、光回転コネクタと光相手コネクタを構成する構築された光接続を示す図４および図５と類似した図である。
【図７】図７は、本発明の光相手コネクタ上に本発明の光回転コネクタが挿入された横方向の二次元断面図である。
【図８】図８は、光相手コネクタの開口位置から光相手コネクタに対して光回転コネクタを回転させることを示す図７と類似した図である。
【図９】図９は、光学的に連結された光学手段を備えた相手コネクタ上の光回転コネクタの閉位置を示す図７および図８と類似した図である。
【図１０】図１０は、本発明の光相手コネクタを備えた本発明の光回転コネクタの構築された軸受接続の二次元断面線図である。
【図１１】図１１は、光回転コネクタおよび光相手コネクタを構成する本発明の軸受接続の図１０と類似して説明される別の実施形態である。
【図１２】図１２は、本発明の軸受接続の図１０と類似して説明される別の実施形態である。
【図１３】図１３は、同様に本発明の軸受接続の図１０と類似して説明されるさらに別の実施形態である。
【図１４】図１４は、本発明の光相手コネクタの三次元分解図である。
【図１５】図１５は、本発明の光相手コネクタを下から見た斜視図である。
【発明を実施するための形態】
【００２７】
本発明は、添付の図面を参照して実施形態の例を用いて以下詳細に説明され。る。
【００２８】
本発明は、ＭＯＳＴネットワーク用のデバイス１（図３参照：好適には、デバイス１は、高周波手段１または無線手段１である）を参照して以下詳細に説明される。しかしながら、本発明はこのようなデバイス１に限定されることなく、全ての光学、光電気または光電子デバイス（または機器）１および／または手段１であってもよい。さらに、ピグテール６が以下説明されるが、これは（予め）組み立てられた光ウェイブガイドケーブル６（好適には比較的短く、少なくとも１端に光コネクタが備えられる）である。この（予めの）組立は、関連する光ウェイブガイド６０を備えるコネクタの実装には現場では問題があるので、通常必要である。ピグテール６は、例えば、光コンポーネントの連結または光接続の分配をするために機能する。
【００２９】
図３に部分的に示されたＭＯＳＴデバイス１は、ＭＯＳＴネットワークの一部である。ＭＯＳＴネットワークの構造は、二地点間接続として形成される２つのＭＯＳＴデバイス１間を接続するリング状であると好適である。この場合において、電光変換器（ＥＯＣ、符号２２０、以下参照）として称される手段は、トランスミッタ／レシーバモジュール（ＭＯＳＴネットワークトランシーバ）２００内で電気信号を、第二トランスミッタ／レシーバモジュール２００（ＭＯＳＴネットワークトランシーバ）へ好適な高分子光ウェイブガイド６０を経て伝送される光信号へ変換する。そこで、光電変換器（ＯＥＣ２２０）として称される手段は、受信した光信号を電気信号に変換する。この場合において、第二光ウェイブガイド６０では並列に逆変換が起こる。本実施形態において、そのようなトランスミッタ／レシーバモジュール２００が、本発明の光回転コネクタ１００（好適にはピグテール６の構成）をさらに含む本発明の光電接続手段１０用の本発明の光相手コネクタとして形成される。
【００３０】
しかしながら、相手コネクタ２００は、例えば光または光電伝送モジュール（トランスミッタ）２００としてのみ、または、光または光電レシーバモジュール（レシーバ）としてのみ形成されてもよい。本実施形態において、相手コネクタ２００は、光接続手段１０の基板モジュール２００として形成され、例えばプリント回路基板などの基板２０（任意に装着可能である）上に実装可能である。しかしながら、相手コネクタ２００は、基板２０やその同等物として選択的に封止リードフレーム(encapsulated lead frame)２０にも適用可能である。そのような場合において、基板２０は、デバイス１の組立体２の一部である。光接続手段１０は、光、光電／光電子コネクタ手段４（本実施形態においては、ＭＯＳＴコネクタ４、特にピンソケット４として形成される無線プラグコネクタ４として形成される）に光学的に接続される。このために、ピグテール６は、光回転コネクタ１００とは反対側の端部にある光コネクタ手段４用の光プラグコネクタ４０を備える。
【００３１】
本発明の光接続手段１０は、互いに向かって回転可能な２つのコネクタコンポーネント１００，２００を備える。そのような場合において、回転モジュール１００が相手コネクタ２００から分離して形成されると好適である。回転モジュール１００と相手コネクタ２００は、互いに実装可能である。しかしながら、本発明の実施形態において回転モジュール１００をしっかりと、しかし相手コネクタ２００上に回転可能に固定することも可能である。すなわち、関連する反対側の軸受が、各軸受手段上／内に既に提供される。しかしながら、光接続手段１０の２つの部分の構成のみが以下詳細に説明される。
【００３２】
図３のステップＩからＩＩＩによって推測できるが、光回転コネクタ１００は、光手段１２０が図３に対して下方向に向く（ステップＩ）ことができるように、最初に、図３に示される水平位置から約９０°で傾けられなければならない。この時系列にしたがって、光回転コネクタ１００は、この相対位置において連結式で相手コネクタ２００に接続される（ステップＩＩ：図４および図７をさらに参照）。このとき光回転コネクタ１００は、光相手コネクタ２００における開位置Ｏにある。この位置は、光接続手段１０の開位置としても称される。最後に、光回転コネクタ１００は、相手コネクタ２００上を図３に示される水平位置へ再び回転する（ステップＩＩＩ：図５および図８参照）。このようにして、光接続は、光回転コネクタ１００と光相手コネクタ２００との間に構築される（ステップＩＩＩ：図６および図９参照）。すなわち、光回転コネクタ１００は、光相手コネクタ２００上の閉位置Ｇにある（このことは、同様に光接続手段１０の閉位置Ｇと称される）。
【００３３】
光回転コネクタ１００および光相手コネクタ２００の構成および光接続手段１０の構築は、図４から図６の外観図および図７と図８の対応する内部図を参照して以下詳細に説明される。ほぼ箱形状の回転コネクタ１００は、ハウジング１１０の内部において、少なくとも１つの固定された（好適にはラッチ固定される）光手段１２０を備える。光手段１２０は、光回転コネクタハウジング１１０内の光軸Ａ１２０の方向に軸遊びを好適には備える。本実施形態において、光回転コネクタ１００は、１つは光送信経路のために、１つは光受信経路のためとなる２つの光手段１２０を備える。それぞれにおいて光手段１２０は、本実施形態における光端部スリーブ１２０または光端部フェルール１２０として形成される。当然ながら、他の光手段１２０がハウジング１１０内に設けられてもよい（この点には相手コネクタ２００に関しての説明も参照のこと）。以下、光手段１２０として個別のフェルールのみが説明され、以下述べられることは、第二光手段１２０に同様に適用することが意図されている。
【００３４】
フェルール１２０は、光回転コネクタハウジング１１０内おけるチャンバ１１２内にセンタリングされ、ラッチ固定される。このために、フェルール１２０は、好適にはフェルール１２０の回転対称基部１２２の周りに少なくとも部分的に延伸する少なくとも１つの肩１２４を備える。ハウジング１１０の上面において、スプリングシャックル１１４として形成された一次ラッチ手段１１４が一体的に備えられる。長手端１１４すなわち端面１１５は、フェルール１２０の前部肩１２４上において、ハウジング１１０内におけるフェルール１２０の実装位置にロックする方法で着座される。この場合において、フェルール１２０は、光軸Ａ１２０の一方向にロックされる。フェルール１２０は、前部肩１２４によって、ハウジング１１０の前端面１０１上の突起１１６によって、同様にその反対側の方向にロックされる。光軸Ａ１２０の方向でのフェルール１２０の遊びは、肩１２４の厚み、および、突起１１６の前端面１０１の反対側に位置される側面に対しての一次ラッチ手段１１４の端面１１５の軸距離によって調整可能である。
【００３５】
光回転コネクタハウジング１１０内にフェルール１２０を実装するために、前記フェルールは、後側から進んでハウジング１１０のチャンバ１１２の外部開口内に至り、チャンバ１１２内に内側に向かって進む。そのような場合において、フェルール１２０の前部肩１２４は、細長形状の一次ラッチ手段１１４を上方へ移動させる。フェルール１２０がハウジング１１０内の最終実装位置にある場合は、一次ラッチ手段１１４が前部肩１２４の後方に係合する。フェルール１２０の後部肩１２４は、チャンバ１１２内において（特にハウジングの後方開口の領域において）、フェルール１２０をセンタリングする。フェルール１２０において、好適にはプラスチック材料または高分子材料（ＰＯＦ）を構成する光ウェイブガイド６０の長手端部に締結される。当然のことながら、ガラス（ＧＯＦ）から形成される光ウェイブガイド６０が用いられてもよい。光ウェイブガイド６０は、コーティング６４によって取り囲まれる光ウェイブガイドコア６２を備える。
【００３６】
光回転コネクタ１００のハウジング１１０は、光相手コネクタ２００に光回転コネクタ１００を装着するために、２つの軸受手段１３０を備える。そのような場合において、軸受手段１３０は、回転軸受手段として作用する。以下、個別の軸受手段１３０のみを再び説明され、以下述べられることは、第二軸受手段１３０に類似して適用することが意図されている。軸受手段１３０は、上方または外方に突出した鼻部１３２またはタブ１３２（好適にはハウジング１１０と材料の点で一部材として形成される）をハウジング１１０の横に備える。鼻部１３２またはタブ１３２は、例えばねじ接続を介してハウジング１１０に接続されるなど、分離された部材として形成されてもよい。タブ１３２の横に外側を向く軸受ジャーナル１３４がある。軸受ジャーナル１３４は、特に円形（図４から図６参照）、楕円形（図７から図９参照）または卵形の断面である。内側を向く軸受ジャーナル１３４を設けることも勿論可能である。２つの軸受ジャーナル１３４は、光回転コネクタ１００の回転軸すなわち回転軸Ｓを規定する。さらに、光回転コネクタ１００は、光コネクタ手段１０の回転モジュール１００と称されてもよい。
【００３７】
ほぼ箱形形状の相手コネクタ２００は、ＥＭＣ保護手段２４０（図１４をさらに参照）と共に、基板２０に電気的に接続可能である少なくとも１つの光手段２２０をハウジング２１０内に備える。そのような場合において、ＥＭＣ保護手段２４０は、ハウジング２１０にラッチ固定されてもよい。さらに、ハウジング２１０は、実装手段（特に実装ピンなど）を備えてもよい。実装手段によってハウジング２１０を基板２０（図１５をさらに参照）に実装することが可能である。光相手コネクタ２００は、光接続手段１０の基板モジュール２００と称されてもよい。光手段２２０を受容するために、ハウジング２１０は、ハウジング２１０の前面の外側からアクセス可能な光回転コネクタ１００のフェルール１２０の少なくとも一端面用のチャンバ２１２を備える。光回転コネクタ１００のフェルール１２０を受容するために、ハウジング２１０は、頂部にチャンバ２１２を制限し、フェルール１２０の位置が過剰に高くなってしまうことを防止する上面壁２１８をさらに備える。上面壁２１８は、ハウジング２１０の前面上に挿入斜面を備えてもよい。
【００３８】
相手コネクタ２００の光手段２２０は、ＬＥＤやレーザーダイオードなどの電光変換器（電気から光へ）２２０，２２２および／またはフォトダイオードやフォトトランジスタなどの光電変換器（光から電気へ）２２０，２２４であってもよい。フェルールや光端スリーブの他の光手段が勿論用いられてもよい。本実施形態において、光相手コネクタ２００の光手段２２０は、電光変換器（電気から光へ）２２２、光電変換器（光から電気へ）２２４（図１４参照）を含むトランスミッタ／レシーバ（トランシーバ）である。当然のことながら、２つだけではなくそれ以外の複数や単一のみの光手段２２０を設けることも可能である。
【００３９】
光相手コネクタ２１０の前面において、前記ハウジングは、光回転コネクタ１００との光接続を実装および構築するため、好適には一体とされるフランジ２１６を備える。このフランジ２１６は、光回転コネクタ１００の装着用の２つの軸受手段２３０を含み、軸受手段２３０を同様に回転軸受手段と称することも可能である。本実施形態において、フランジ２１６は、ハウジング２１０またはフランジ２１６と材料の点で一部材で好適には形成される２つのタブ２３２を備える。以下、個別の軸受手段２３０のみを再び説明され、以下述べられることは、第二軸受手段２３０に同様に適用することが意図されている。本実施形態におけるタブ２３２は、光接続手段１０における光回転コネクタ１００のタブ１３２と好適には平行に配置され、長手自由端部において光回転コネクタ１００の軸受ジャーナル１３４用に軸受シェル２３４を備える。
【００４０】
この場合において、軸受シェル２３４は、光回転コネクタ１００の軸受ジャーナル１３４が横挿入可能なように、外周方向（図示しない）に閉じて形成されてもよい。タブ２３２は、好適には長手端部に開口があり、軸受ジャーナル１３４がこの開口（軸受スロット２３６として以下称される）を通じて軸受シェル２３４内に進むことが可能となる。軸受シェル２３４は、ラジアル軸受２３４またはラジアルスライディング軸受２３４として形成されると好適であり、好適には軸受スロット２３６によって形成される２つの軸受面２３５，２３７を含む。すなわち軸受スロット２３６は、互いに反対側に配置された２点（すなわち２つの規定された軸受面２３５，２３７）において軸受シェル２３４を通過することが好適である。このようにすることで、軸受スロット２３６のために、互いに対してある程度の弾性移動性を備え、それゆえに、軸受ジャーナル１３４の製造公差を補償することができる。
【００４１】
軸受ジャーナル１３４の特定の直径は、軸受面２３５，２３７間に軸受ジャーナル１３４を遊び無しで受容することを確実にするために、２つの軸受面２３５，２３７間の距離よりも少しだけ大きく設定される。さらに、軸受スロット２３６は、単一側面上の軸受シェル２３４（図１０から図１３参照）に切り込みを入れることで用いることができる。２つの軸受面２３５，２３７は、内部断面において同一半径を備えた円形となるように形成される。すなわち、軸受シェル２３４または軸受面２３５，２３７は、軸受ジャーナル１３４を長手方向において受容可能な環状キャビティとして拡がっている。さらに、軸受シェル２３４を貫通する軸受スロット２３６の場合において、タブ２３２の長手端が向く軸受スロット２３６の部分が、タブ２３２内においてその反対側に位置された部分よりも幅が大きいと好適である（図７から図９参照）。そのような場合において、２つの軸受シェル２３４またはこれと関連する軸受面２３５，２３７は、光相手コネクタ２００上の光回転コネクタ１００のための回転軸すなわち回転軸Ｓを形成する。
【００４２】
さらに、フランジ２１６は、相手コネクタハウジング２１０またはフランジ２１６内において光回転コネクタ１００のフェルール１２０の二次ラッチ２１４を確実にしてもよい。そのような場合には、フェルール１２０用の分離した二次ラッチ手段が必要でなくなる。そのような場合には、二次ラッチ手段２１４がその基部からフランジ２１６の内側へ向けてフランジ２１６内を突出するハウジング内壁２１４として設けられると好適である。光接続手段１０の閉位置Ｇにおいて、二次ラッチ手段２１４の端面２１５は、好適にはフェルール１２０の中央肩１２４に近接して位置する。そのような場合において、この場合では中央肩１２４が二次ラッチ手段２１４上に着座される状態となり、二次ラッチ手段２１４の端面２１５は、光軸Ａ１２０の方向（光手段２２０の軸方向すなわち光軸Ａ２２０と等しい）にフェルール１２０の引き抜きを妨害する。二次ラッチ手段２１４が光相手コネクタ２００上の光回転コネクタ１００の回転移動を妨害しないように、二次ラッチ手段２１４が面取りされてもよい。
【００４３】
光相手コネクタ２００上または光相手コネクタ２００に対して光回転コネクタ１００の実装および回転について、以下詳細に説明される。参照は、互いに対応する２つの軸受手段１３０，２３０についてのみし、以下において再度述べられることは、他の対応する軸受手段１３０，２３０に適用することが意図されている。光回転コネクタ１００の軸受ジャーナル１３４が、卵形または楕円形の基部表面を備えた環状形状となるように、断面形状で卵形または楕円形であることが好適である。この場合において、軸受ジャーナル１３４は、光回転コネクタ１００上の光手段１２０に対して断面の主軸が光手段１２０の光軸Ａ１２０と平行であるように設けられる。この場合において、軸受けスロット２３６は、横突起（図７から図９参照）において深さ方向の延伸すなわち縦方向の延伸が光相手コネクタ２００の光手段２２０の光軸Ａ２２０に対して垂直であるように、光相手コネクタ２００上に与えられる。
【００４４】
光回転コネクタ１００は、軸受ジャーナル１３４の断面の主軸が軸受スロット２３６の方向に向くように光相手コネクタ２００上に今度は位置づけされる。ここで光回転コネクタ１００は、軸受ジャーナル１３４が光相手コネクタ２００の軸受シェル２３４内、すなわち軸受面２３５，２３７間（開位置Ｏ、図４、図７および図１０から図１３参照）に受容されるまで、光相手コネクタ２００へ向かって移動する。そのような場合において、軸受スロット２３６がとても幅広いので、軸受ジャーナル１３４の断面のより小さい直径、すなわち最小の直径は、問題なく軸受スロット２３６を通じて移動可能である。しかしながら軸受スロット２３６は、軸受ジャーナル１３４の断面のより大きい直径、すなわち最大の直径よりも狭い。軸受ジャーナル１３４を軸受手段２３０に簡易に導入するために、軸受スロット２３６は、片側または両側に挿入傾斜を備えていてもよい。
【００４５】
このようにして、光回転コネクタ１００が光相手コネクタ２００へ向かって回転する（開位置Ｏから閉位置Ｇまで：図５および図８参照）。軸受ジャーナル１３４は、最大直径の領域であれば軸受シェル２３４すなわち軸受面２３５，２３７間にほぼ遊びなく受容される。すなわち、軸受手段２３０の関連する直径は、軸受ジャーナル１３４の最大直径に、ほぼ最大で対応する。閉位置Ｇ（図６、図９およびさらに図１０から図１３参照）において、軸受ジャーナル１３４の最大直径が軸受スロット２３６に対して好適には垂直であり、光回転コネクタ１００および光相手コネクタ２００の２つの光手段１２０，２２０の光軸Ａ１２０，Ａ２２０がほぼ一致する。そのような場合において、軸受ジャーナル１３４の最大直径の領域は、軸受スロット２３６からの最大延伸部から離れて回転完了している。
【００４６】
多くの可能な実施形態において、軸受ジャーナル１３４、軸受シェル２３４、軸受面２３５，２３７および光手段１２０，２２０の相互間の配置を形成することが勿論可能である。このことは、光回転コネクタ１００用の例示によって図１０から図１３までに示されている（軸受スロット２３６の全容が示されてはない）。以下の記載は、当然ながらそのような実施形態およびさらに光相手コネクタ２００に転用可能である。そのような場合において、図１０から図１３において、光接続手段１０における軸受ジャーナル１３４のハッチングされた断面は開位置Ｏを示し、軸受ジャーナル１３４の点線で示された輪郭は閉位置Ｇを示す。図１０は、軸受スロット２３６の全容なしで一度上述した実施形態を再度示している。軸受ジャーナル１３４の断面の主軸は光手段１２０の光軸Ａ１２０に平行に配置され、軸受スロット２３６は光手段２２０の光軸Ａ２２０から可能な限り遠い位置にある。ステップＩＩおよびＩＩＩを示す矢印は、この場合、図３に関した記述のとおり、すなわち、挿入はステップＩＩであり、回転はステップＩＩＩである。
【００４７】
図１１において、この配置の一部が数学的にプラスに（図１０に対して反時計回りに）約３０°で向けられる。そのような場合において、当然ながらいかなる角度（好適には±９０°内の範囲）が用いられてもよい。この場合において、光回転コネクタ１００が閉位置Ｇに至るために光相手コネクタ２２０上で依然として９０°回転した状態で、光手段１２０，２２０の光軸Ａ１２０，Ａ２２０は、図１０からの前位置を維持する。軸受ジャーナル１３４の断面における主軸は、光手段１２０の光軸Ａ１２０にもはや平行ではなくなり、光軸Ａ１２０に対して約３０°の角度とされる。これにしたがって、軸受シェル２３４の軸受スロット２３６は、図１０の軸受シェル２３４に対して約３０°で数学的にプラスにさらに向けられる。そのような場合においてステップＩＩにおける光回転コネクタ１００は、光相手コネクタ２００へ向かって斜めに移動する。
【００４８】
図１２の実施形態では、図１１の実施形態と比較して、閉位置Ｇに至るために光回転コネクタ１００が光相手コネクタ２００上で約６０°で回転しなければならなくなるよう、光軸Ａ１２０が軸受ジャーナル１３４の量でさらに向けられる。そのような場合において、当然ながらいかなる角度（好適には±９０°内の範囲）が再度用いられてもよいが、これら角度は上述とはさらに異なった角度であってもよい。すなわち、図１０と関連して、軸受ジャーナル１３４、光軸Ａ１２０およびそれゆえの光手段１２０および軸受スロット２３６は、数学的にプラス方向に
約３０°で向けられる。ステップＩＩでの光回転コネクタ１００の挿入は、再び斜めとなる。図１３の実施形態において、軸受ジャーナル１３４の配置および軸受スロット２３６の配置は、図１０に関して数学的にプラス方向に９０°で回転される。光軸Ａ１２０，Ａ２２０およびそれゆえに光手段１２０，２２０は、図１０に示された位置にある。そのような場合において、光回転コネクタ１００は、ステップＩＩにおいて光相手コネクタ２００へ向かって横方向に移動し、これに従い９０°回転する。
【００４９】
光相手コネクタ２００上の光回転コネクタ１００の閉位置Ｇにおいて、光回転コネクタ１００は、光相手コネクタ２００上にラッチ固定される。図６および図１５において、フランジ２１６内のラッチ凹部および光回転コネクタ１００上のラッチ突起を参照されたい（勿論逆の構成とした実施形態も可能である）。さらに、光回転コネクタ１００は、相手コネクタ２００（図９参照）のフランジ２１６の基部上に好適には後部停止部を備えて着座される。さらに、図４から図６は、軸受手段２３０が軸受ジャーナル１３４の進行に対応して拡げることが可能である限りにおける円形の断面図である軸受ジャーナル１３４（他の実施形態で示され説明されたのと同様にして用いることが可能である）を示す。さらに、図１４は、光相手コネクタ２００の光手段２２０（２２２，２２４）用の保護キャップ２５０を示す。
【００５０】
図１４および図１５は、各場合においてプリント回路基板２０上における光手段２２０（２２２，２２４）の電気接続およびＥＭＣ保護手段２４０の電気接続を示す。図１４の実施形態において、対応する電気接続部２２６，２４６は、関連するコンポーネントから突出する接続ピン２２６，２４６として形成される。接続ピン２２６，２４６は、プリント回路基板２０を通じて挿入可能であり（ＴＨＭ技術）、プリント回路基板２０の反対面にはんだ付け可能である。図１５の実施形態において、関連するコンポーネント上の接続ピン２２６，２４６は、約９０°で曲げられ、好適にはスプリングシャックルとして形成され、プリント回路基板２０の表面上の関連する電気接続に接続可能である。すなわち、光手段２２０（２２２，２２４）およびＥＭＣ保護手段２４０は、表面実装コンポーネント（ＳＭＴ）として形成され、両者はプリント回路基板２０上で互いに電気接続可能である。細長形状の接続ピン２２６，２４６は、好適には側面から見て弓形形状である。
【００５１】
本発明の軸受原理は、運動として当然逆とすることも可能である。すなわち、軸受シェル２３４または軸受面２３５，２３７は、光回転コネクタ１００上に位置され、同様に軸受ジャーナル１３４が光相手コネクタ２００上に位置される。さらに、それぞれの場合において、軸受シェル２３４または関連する軸受面２３５，２３７および対応する軸受ジャーナル１３４の代わりに、他の回転実装を設けることも可能である。このような代わりの回転実装１３０，２３０は、上述の回転実装（第二回転実装や代わりの回転実装に向けての別の代わりでさえ）と組み合わせ可能である。代わりの回転実装として、例えば案内が考慮されてもよい。その場合においては、軸受ジャーナル１３４や別の異なる要素が案内される。さらに、互いに対応する２つの案内が個別の回転実装を形成するために組立可能である。さらに、当然ながら細長い軸受の軸は、２つの軸受ジャーナル１３４の代わりに用いられてもよい。
【符号の説明】
【００５２】
１・・・電気／電子デバイス
２・・・組立体
６・・・光ウェイブガイドケーブル
１０・・・光接続手段
２０・・・基板
１００・・・光回転コネクタ
１１０・・・ハウジング
１１４・・・一次ラッチ手段（スプリングシャックル）
１１５・・・長手端部
１２０，２２０・・・光手段
１３０・・・軸受手段
１３２，２３２・・・タブ
１３４・・・軸受ジャーナル
２００・・・光相手コネクタ
２１０・・・相手コネクタハウジング
２１４・・・内部ハウジング壁（二次ラッチ手段）
２２０・・・光手段
２２６，２４６・・・電気接続
２３０・・・軸受手段
２３４・・・軸受シェル
２３５，２３７・・・軸受面
２３６・・・軸受スロット
Ａ１２０，Ａ２２０・・・光軸
Ｏ・・・開位置
Ｇ・・・閉位置
Ｓ・・・回転軸
【図１】
2013543145.tif 000003
【図２】
2013543145.tif 000004
【図３】
2013543145.tif 000005
【図４】
2013543145.tif 000006
【図５】
2013543145.tif 000007
【図６】
2013543145.tif 000008
【図７】
2013543145.tif 000009
【図８】
2013543145.tif 000010
【図９】
2013543145.tif 000011
【図１０】
2013543145.tif 000012
【図１１】
2013543145.tif 000013
【図１２】
2013543145.tif 000014
【図１３】
2013543145.tif 000015
【図１４】
2013543145.tif 000016
【図１５】
2013543145.tif 000017
【国際調査報告】
2013543145.tif 000018
2013543145.tif 000019
2013543145.tif 000020